(57)【特許請求の範囲】
【請求項１】
腹側部及び背側部とその間に位置する股部とを有し、腹側部から背側部の間を股部を介して延びる縦方向と、これと直交する横方向を備え、着用状態で環状のウエスト領域上縁により形成されるウエスト開口部及び一対のレッグ開口部を構成する着用物品において、
前記物品は、該物品の最外面を形成する外層シート及び該外層シートに隣接して該外層シートの内面側に配されている内層シートを有する外装体と、液透過性表面シート、裏面シート及びこれらの間に介在配置された吸収体を有する吸収性本体を前記外装体よりも内側に備え、更に該物品の着用状態で着用者の肌に当接する親水性の吸汗性領域を、前記吸収性本体の縦方向端部と前記ウエスト領域の下縁との間に位置する上腹部領域に備えており、
前記外層シートは、これを構成するシート材が前記ウエスト開口縁において内面側に折り返されて、該外層シートの折り返し部分を形成しており、
前記外層シートの前記折り返し部分の内面側を被覆し、且つ前記内層シートの縦方向の端部の上下にわたって延在する補助シートが配置されており、
前記補助シートは、前記ウエスト領域において前記外層シートの内面と対向し且つ、前記上腹部領域において前記内層シートの内面と対向しており、
前記ウエスト領域においては、前記補助シートと前記外層シートの内面とが対向する部分との間に弾性部材が配置されておらず、かつ両シート間が非接合状態になっているとともに、該補助シートと該外層シートの前記折り返し部との間に弾性部材が配置されており、
前記上腹部領域においては、前記物品の横方向中央域において、前記外層シートと前記内層シートとが非接合状態になっており、該外層シートには弾性部材が配置されておらず、且つ前記内層シートと前記補助シートとの間に弾性部材が配置されている、着用物品。
【請求項２】
前記吸汗性領域は前記補助シートが親水化されて親水性となされている請求項１に記載の着用物品。
【請求項３】
前記吸汗性領域が伸縮性を有する請求項１又は２に記載の着用物品。
【請求項４】
前記吸汗性領域が、前記補助シートと、前記内層シートと、両シート間に伸長状態で接合された前記弾性部材とを有する伸縮性シートからなる請求項３に記載の着用物品。
【発明の詳細な説明】
【技術分野】
【０００１】
本発明は着用物品に関する。
【背景技術】
【０００２】
下着と比較すると吸収性着用物品は一般に着用感が低いものであることが知られている。その原因の一つとして、該着用物品は吸汗性や速乾性が下着よりも低い素材を使用していることが挙げられる。ヒトは絶えず発汗しており（不感蒸泄）、発汗量は股下部よりも腹部や背部の方が大きい。
【０００３】
そこで、吸収性着用物品における着用者の肌対向面に吸汗性のシートを配することによって汗をかきやすい部分の蒸れを防ぎ、これに起因するかぶれ等を防止する技術が提案されている（例えば、特許文献１及び２参照）。また吸汗性能に加えて、薬剤や抗菌剤等を吸汗性のシートに加えることによって、かぶれの発生を一層抑制しようとする技術も提案されている（例えば、特許文献３及び４参照）。更に特許文献５には、吸汗シートと外層シートと間にウエスト開口部に向かって非接着部を設けることで、蒸気を放出する技術が開示されている。
【先行技術文献】
【特許文献】
【０００４】
【特許文献１】特開２０００−１８９４５４号公報
【特許文献２】特開２００３−２３５８９２号公報
【特許文献３】特開２００２−１５３５０７号公報
【特許文献４】特開２００７−３２５９１５号公報
【特許文献５】特開２００９−８２４８２号公報
【発明の概要】
【発明が解決しようとする課題】
【０００５】
しかしながら、特許文献１及び２に記載の技術では、夏場の着用時のように大量の汗をかいて吸汗性シートの吸収力を超えてしまうと、もはや蒸れを防止することが困難になることがある。特許文献３及び４に記載の技術では、薬剤等によるかぶれ防止等の効果は限定的であり、蒸れに起因するかぶれを抑制するには改善の余地がある。更に特許文献５に記載の技術では、通常、吸収性物品のズレ落ちや排泄物の漏れ防止の観点から、ウエスト開口部による締め付け力は比較的高いことから、ウエスト開口部を通じての蒸気の放出が円滑に行われないことがあり、蒸気放出効果は限定的と言える。
【０００６】
したがって本発明の課題は、吸汗性に優れるとともに、吸収した汗を効果的に外部へ放出することによって着用物品内の蒸れ抑制が向上した着用物品を提供することにある。
【課題を解決するための手段】
【０００７】
かかる課題を解決すべく発明者らは鋭意検討したところ、親水性を有する吸汗性のシートを着用者の肌に当接するように配するとともに、該吸汗性のシートと対向する位置にある外層シートと、該外層シートの内側に位置する部材との間に非接合領域を設けて蒸気の発散のための空間を形成することによって、前記課題が解決されることを知見した。
【０００８】
本発明は前記知見に基づきなされたもので、腹側部及び背側部とその間に位置する股部とを有し、腹側部から背側部の間を股部を介して延びる縦方向と、これと直交する横方向を備え、着用状態で環状のウエスト領域上縁により形成されるウエスト開口部及び一対のレッグ開口部を構成する着用物品において、前記物品は、該物品の最外面を形成する外層シートと、液透過性表面シート、裏面シート及びこれらの間に介在配置された吸収体を有する吸収性本体を前記外層シートよりも内側に備え、更に該物品の着用状態で着用者の肌に当接する親水性の吸汗性領域を前記吸収性本体の縦方向端部と前記ウエスト領域の下縁との間に備えており、前記外層シートのうち、前記着用物品の厚み方向において前記吸汗性領域に対向する領域は、該物品の横方向中央域において、略全域がそのすぐ内側に位置する部材と非接合状態になっている、着用物品を提供するものである。
【発明の効果】
【０００９】
本発明の着用物品によれば、その着用状態において、着用者の体から生ずる汗を吸収できるとともに、吸収した汗を効果的に着用物品の外部へ蒸散させることができる。
【図面の簡単な説明】
【００１０】
【図１】図１は、本発明の着用物品の第１実施形態としてのパンツ型使い捨ておむつを示す斜視図である。
【図２】図２は、図１に示すおむつの展開かつ伸長状態における内面側を示す展開平面図である。
【図３】図３は、図２におけるIII−II線断面図である。
【図４】図４は、図２におけるIV−IV線断面図である。
【図５】図５は、上腹部領域に形成された浮き部及び襞を示す模式図である。
【図６】図６は、本発明の第２実施形態としてのパンツ型使い捨ておむつにおける断面図（図３相当図）である。
【図７】図７は、本発明の第３実施形態としてのパンツ型使い捨ておむつにおける断面図（図３相当図）である。
【図８】図８は、本発明の第４実施形態としてのパンツ型使い捨ておむつにおける断面図（図３相当図）である。
【図９】図９は、実施例及び比較例で行った蒸気放出性の評価において測定された熱流量と時間との関係を示すグラフである。
【発明を実施するための形態】
【００１１】
以下本発明を、その好ましい実施形態に基づき図面を参照しながら説明する。図１ないし図４には、本発明の第１実施形態としてのパンツ型使い捨ておむつ１（以下、「おむつ１」ともいう）が示されている。おむつ１は、外装体１１と、該外装体１１の内面側に固定された吸収性本体１０とを備えている。おむつ１は、着用状態において着用者の腹側に配される腹側部Ａ、背側に配される背側部Ｂ、及びそれらの間に位置して着用者股間部に配される股部Ｃを有している。
【００１２】
本明細書において、おむつ１の縦方向とは腹側部Ａと背側部Ｂとの間を股部Ｃを介して延びる方向であり、図２中のＹ方向である。また、おむつ１の横方向とは縦方向Ｙと直交する方向であり、図２中のＸ方向である。おむつ１において「展開かつ伸長状態」とは、おむつ１を展開状態とし、その展開状態のおむつ１を各部の弾性部材を伸長させて設計寸法（弾性部材の影響を一切排除した状態で平面状に広げたときの寸法と同じ）となるまで拡げた状態をいう。吸収性本体１０の縦方向及び横方向は、それぞれおむつ１の縦方向及び横方向と対応する方向である。また、腹側部Ａ及び背側部Ｂのそれぞれにおいて、おむつ１の縦方向は着用状態における上下方向であるため、腹側部Ａ及び背側部Ｂの縦方向において、ウエスト開口縁Ｗ側を上、股部Ｃ側を下とも表現する。また、おむつ１の着用状態において着用者の肌側に近い側を肌側面、肌当接面側又は内側といい、相対的にこれらよりも肌から遠い側を非肌側面、非肌当接面側又は外側という。
【００１３】
おむつ１における吸収性本体１０は、図２に示す通りおむつ１の縦方向Ｙと同方向に長い略矩形状をしている。吸収性本体１０は、液透過性の表面シート２、液不透過性又は液難透過性（撥水性等）の裏面シート３及び両シート２，３間に介在配置された液保持性の吸収体４を有している。表面シート２及び裏面シート３は吸収体４の各面を被覆し、かつ吸収体４の外縁から外方に延出している。
【００１４】
また吸収性本体１０には、図２に示す通り縦方向Ｙに沿う左右両側に、液抵抗性ないし撥水性でかつ通気性の素材から構成された側方カフス８，８が形成されている。各側方カフス８の自由端部の近傍には複数の側方カフス弾性部材８１が伸長状態で配されている。側方カフス８はおむつ着用時に起立して液の側方への流出を阻止する。
【００１５】
吸収性本体１０の裏面シート３側に配置された外装体１１は、図２ないし図４に示す通り、外層シート１２及び該外層シート１２よりもおむつ厚み方向の内側に位置する内側シート１３を有している。内側シート１３は、内層シート１４、補助シート１５を有している。更に内側シート１３は、外層シート１２を構成するシート材がウエスト開口縁Ｗにおいて内面側に折り返されて形成された外層シート１２の折り返し部分１２ａ，１２ｂも有している。つまり、外層シート１２の折り返し部分１２ａ，１２ｂも内側シート１３の一部に該当する。外層シート１２及び内層シート１４はそれぞれ、腹側部Ａ、股部Ｃ及び背側部Ｂにわたって連続している。補助シート１５は背側部Ｂ及び腹側部Ａにそれぞれ一枚配されている。補助シート１５は、外層シート１２の折り返し部分１２ａ，１２ｂの内面側（弾性部材５１と当接する面側）を被覆している。
【００１６】
外層シート１２はおむつ１の外表面を形成しており、内層シート１４は外層シート１２に隣接して外層シート１２の内面側に配されている。補助シート１５は、図３及び図４に示すように、内層シート１４の縦方向Ｙの端部１４ｗの上下にわたって延在している。また補助シート１５は、横方向Ｘの中央部においては、図３に示すように吸収性本体１０の縦方向Ｙの端部１０ｗの上下にわたって延在している。そのため、補助シート１５は外層シート１２の内面と対向する部分と内層シート１４の内面と対向する部分と吸収性本体１０の内面と対向する部分とを有している。内面はおむつ１又はその構成部材におけるおむつ着用時に着用者の肌側に向けられる面である。
【００１７】
図１に示すように、外装体１１は腹側部Ａにおける両側縁部と背側部Ｂにおける両側縁部とが互いに接合されており、その接合によっておむつ１に一対のサイドシール部Ｓ，Ｓ、環状のウエスト領域上縁により形成されるウエスト開口部５及び一対のレッグ開口部６，６が形成されている。ウエスト開口縁Ｗはウエスト開口部５の周縁である。外装体１１は展開かつ伸長状態のおむつ１において、図２に示すように縦方向中央域が横方向Ｘの内方に向けて括れた砂時計状の形状をしている。
【００１８】
図２ないし図４に示すように、おむつ１における腹側部Ａ及び背側部Ｂは、それぞれウエスト開口縁Ｗ側から股部Ｃ側に向かって順に、ウエスト領域Ａ１，Ｂ１、上腹部領域Ａ２，Ｂ２及び下腹部領域Ａ３，Ｂ３を有している。腹側部Ａはおむつ１の縦方向の一端側のウエスト開口縁Ｗからレッグ開口部６の上端Ｓｔまでの部位であり、背側部Ｂはおむつ１の縦方向の他端側のウエスト開口縁Ｗからレッグ開口部６の上端Ｓｔまでの部位である。
以下、主として、おむつ１の腹側部Ａにおけるウエスト領域Ａ１、上腹部領域Ａ２及び下腹部領域Ａ３の構成について図３及び図４を参照しつつ説明するが、背側部Ｂにおけるウエスト領域Ｂ１、上腹部領域Ｂ２及び下腹部領域Ｂ３も同様の構成を有している。
【００１９】
ウエスト領域Ａ１は、腹側部Ａにおいてウエスト開口縁Ｗに沿っておむつ１の横方向に延びている。また、ウエスト領域Ａ１にはギャザー形成用の複数本（図示例は６本）のウエスト弾性部材５１が、それぞれおむつ１の横方向Ｘに延びて固定されている。また、ウエスト弾性部材５１は、おむつ１の横方向Ｘに伸長させた状態で外層シート１２の内面に固定されている。
【００２０】
ウエスト弾性部材５１は、ウエスト弾性部材５１を挟む外層シート１２と内側シート１３との間に伸長状態で接着剤を介して固定されている。更に詳しくは、ウエスト開口縁Ｗ近傍の一部のウエスト弾性部材５１は外層シート１２とその折り返し部分１２ａとの間に固定され、他のウエスト弾性部材５１は外層シート１２と補助シート１５との間に固定されている。またウエスト弾性部材５１は、腹側部Ａ及び背側部Ｂそれぞれにおいて、サイドシール部Ｓ，Ｓ間の全域にわたって配されている。そして、おむつ１の自然状態においては、伸長状態で固定されたウエスト弾性部材５１の収縮に起因して外層シート１２及び内側シート１３に多数の襞ないし凹凸が生じて、ウエストギャザーＧ１が形成されている。
【００２１】
下腹部領域Ａ３は、腹側部Ａの縦方向Ｙにおいて最も股部Ｃ寄りの部位に形成されている。下腹部領域Ａ３には、ギャザー形成用の複数本の下腹部弾性部材９１がおむつ１の横方向Ｘに延びて固定されている。下腹部弾性部材９１は、おむつ１の横方向Ｘに伸長させた状態で外層シート１２の内面に固定されている。具体的には、下腹部弾性部材９１は該下腹部弾性部材９１を挟む外層シート１２と内側シート１３である内層シート１４との間に接着剤を介して接合されている。そしておむつ１の自然状態においては、下腹部弾性部材９１の収縮に起因して外層シート１２及び内側シート１３に多数の襞ないし凹凸が生じて、下腹部ギャザーＧ３，Ｇ３が形成されている。
【００２２】
下腹部弾性部材９１は横方向Ｘの中央部で左右に分割された状態で配されている。すなわち、下腹部領域Ａ３に配された下腹部弾性部材９１は吸収性本体１０の両側縁の外方においては伸縮力を発現する。一方、吸収性本体１０と重なる部分の横方向Ｘの中央部においては下腹部弾性部材９１が配されていないか、該下腹部弾性部材９１が配されているとしても弾性伸縮性を発現しないようになされている。下腹部弾性部材９１が弾性伸縮性を発現しないようにする方法は特に制限されず、各種公知の方法を採用し得る。例えば下腹部弾性部材９１の一部を弾性伸縮性を発現しなくなるように熱処理する方法や、下腹部弾性部材９１を伸長状態が解除された複数の断片が生じるように分断する方法等が挙げられる。
【００２３】
下腹部領域Ａ３に隣接して該下腹部領域Ａ３の上に位置する上腹部領域Ａ２では、外層シート１２と内層シート１４とが非接合状態となっている。上腹部領域Ａ２は、ウエスト弾性部材５１のうち最も下に位置するものの下端から、吸収性本体１０の上端までの間の領域である。外層シート１２と内層シート１４とが非接合状態となっているとともに、上腹部領域Ａ２では糸状又は帯状の上腹部弾性部材７１が、おむつ１の横方向Ｘに延びて横方向Ｘに伸長させた状態で横方向Ｘに延びて内層シート１４に固定されている。図３及び図４に示す通り、上腹部弾性部材７１は内層シート１４と補助シート１５との間に配置され、両シートに固定されている。これに対して外層シート１２にはギャザー形成用の弾性部材は固定されていない。上腹部弾性部材７１の固定には、例えば接着剤（図示せず）が用いられる。上腹部弾性部材７１は２〜１０本配されていることが好ましく、より好ましくは２〜５本である。おむつ１の着用状態においては、上腹部弾性部材７１の収縮によって内層シート１４及び補助シート１５に多数の襞ないし凹凸が生じ、内側ギャザー（図示せず）が形成される。内側ギャザーは内層シート１４と非接合状態になっている外層シート１２よりも内側に位置するので、該内側ギャザーはおむつ１の外表面から視認し難くなっている。その結果、該外層シート１２は下着様の外観を呈するようになる。また、上腹部領域Ａ２において内層シート１４と非接合状態になっている外層シート１２は、図１に示す通り、内側ギャザーの収縮によっておむつ１の外方へ向けて膨らんだ状態になり、柔らかな印象を使用者に与え、下着様の外観との相乗効果で外観が一層良好なものになる。
【００２４】
本実施形態のおむつ１においては、該おむつ１の着用状態で着用者の肌に当接する部位は外層シート１２の折り返し部分１２ａ，１２ｂ、補助シート１５及び表面シート２である。これらの部材のうち、少なくとも補助シート１５が親水化されている。補助シート１５は、図３及び図４に示す通り、上腹部領域Ａ２，Ｂ２と、下腹部領域Ａ３，Ｂ３のうちの上腹部領域Ａ２，Ｂ２寄りの部位において着用者の肌に直接当接する。したがって、補助シート１５のうち少なくとも吸収性本体の縦方向端部とウエスト領域の下縁との間の領域（上腹部領域Ａ２，Ｂ２）は、着用者の体から生じた汗の補助シート１５による吸収が可能になっている。換言すれば、補助シート１５のうち、少なくとも吸収性本体の縦方向端部とウエスト領域の下縁との間の領域は吸汗性領域Ｒ１（図３及び図４参照）になっている。吸汗性領域Ｒ１においては、図３に示す通り、おむつ１の厚み方向Ｚに沿ってみたとき、外層シート１２のうち吸汗性領域Ｒ１に対向する領域は、少なくともおむつ１の横方向Ｘの中央域において、略全域がそのすぐ内側に位置する部材、つまり内層シート１４と非接合状態になっており、両者の間には非接合領域による空間が形成されている。
【００２５】
外層シート１２と内層シート１４との間が接合されていない非接合領域は、おむつ１の横方向Ｘの中央域のほぼ全域にわたっている。ここで「横方向Ｘの中央域」とは、腹側部Ａ、背側部Ｂそれぞれにおいて、展開かつ伸長状態下に横方向Ｘを五等分したときに、左右それぞれの５分の１の領域を除いた中央域５分の３の領域を意味する。また「ほぼ全域」とは、該中央域のうち８５％以上の領域（面積）のことを意味する。本実施形態のおむつ１においては、サイドシール部Ｓ，Ｓ間の全幅に対して中央域５分の３の領域において、外層シート１２と内層シート１４との接合が行われる場合、面積基準で１５％未満の範囲、特に１０％以下、更には５％以下であることが好ましい。
【００２６】
そして、上腹部領域Ａ２における外層シート１２には、ウエスト領域Ａ１及び下腹部領域Ａ３が幅方向Ｘに収縮することによって、すなわちウエストギャザーＧ１及び下腹部ギャザーＧ３が収縮することによって、図１に示す通り、おむつ１の外方に立体的に浮き上がった部分Ｆ（以下、浮き部Ｆという）が生じる。その浮き部Ｆには、図５に示す通り、複数本の襞１６が形成されている。上腹部領域Ａ２に形成された襞１６は、おむつの横方向Ｘに沿う断面形状が、図５に示す通り連続波形形状を有している。また襞１６は、腹側部Ａをそれぞれの外面側から視たときに概ね縦方向Ｙに沿って延びている。厳密には、襞１６は下側から上側に向かうほど幅方向Ｘの中央部側に近づくようにやや傾斜している。また、上腹部領域Ａ２の襞１６は、ウエストギャザーＧ１及び下腹部ギャザーＧ３よりも幅の大きい部分を備えたものとなっている。このように、外層シート１２には、おむつの厚み方向Ｚにおいて吸汗性領域Ｒ１と対向する領域における縦方向Ｙの中央域を挟む上下位置、つまりウエスト領域Ａ１及び下腹部領域Ａ３の少なくとも一方に、横方向ＸにわたるギャザーＧ１，Ｇ３が形成されており、該ギャザーＧ１，Ｇ３によって吸汗性領域Ｒ１に対応する外層シート１２に、縦方向に延びる複数の皺１６が形成されている。
【００２７】
以上の構成を有する本実施形態のおむつ１によれば、着用者の肌当接面に吸汗性領域Ｒ１が形成されており、かつおむつ１の厚み方向Ｚにおいて該吸汗性領域Ｒ１に対応する領域である上腹部領域Ａ２においては外層シート１２と内層シート１４とが幅方向中央域で非接合状態になっており、しかも浮き部Ｆや襞１６が形成されているので、着用者の体から生じた汗が速やかに吸汗性領域Ｒ１によって吸収されるとともに、吸収された汗は内層シート１４及び外層シート１２を通じて円滑におむつ１の外部へ蒸散される。したがって着用状態でのおむつ１の内部の蒸れが効果的に防止され、肌トラブルが効果的に防止されうる。このような効果を発揮する観点から、吸汗領域Ｒ１は、ウエスト開口部端からレッグ開口部端の間の長さ（すなわち、腹部Ａのサイドシール４のＹ方向長さの合計長さ）に対して１５〜７０％、特に２０〜５０％のＹ方向長さを有することが好ましい。またこの場合、対応する上腹部領域Ａ２が下着様で柔らかい外観を与えるとともに、ズレ落ち抑制の観点や、胴回りをやさしくかつしっかりと抑える目的から好ましい。また、膨らむ領域が適度となるので、だぶついた印象を着用者らに与え難いとともに、伸縮性を備えていることを着用者に視覚的に与える効果も高くなる。
【００２８】
なお、上述した襞１６がウエスト領域Ａ１及び下腹部領域Ａ３が横方向Ｘに収縮することにより生じたものであるか否か（あるいはウエストギャザーＧ１及び下腹部ギャザーＧ３によって生じたものであるか否か）は、例えば、上腹部領域Ａ２における内側シート１３（内層シート１４等）に固定された弾性部材７１を除去するか、又は多数箇所で切断して弾性伸縮性を発現しないようにしたときに、その襞１６の形状が概ねそのままの状態で維持されているか否かで判断することができる。また、弾性部材７１が存在しない場合では、ウエスト領域Ａ１及び下腹部領域Ａ３を最大長さとなるまで伸長させて該領域のギャザーを消失させたときに、上腹部領域Ａ２の襞がほぼ消失すれば該襞はウエスト領域Ａ１及び下腹部領域Ａ３の収縮によるもの（あるいはウエストギャザーＧ１及び下腹部ギャザーＧ３によって生じたもの）と判断可能である。「最大長さ」とは、外装体１１を構成するシート材料が破壊（材料破壊）されない条件で最大限伸長させたときの長さをいう。
【００２９】
上述した吸汗性領域Ｒ１（本実施形態では、補助シート１５の上腹部領域Ａ２に該当する領域）は親水性である。本発明において親水性とは水の接触角が９０°以下であることをいう。吸汗性領域Ｒ１の接触角が好ましくは８５°以下、更に好ましくは８０°以下であると、汗を吸収する速度と面積が広くなり、蒸れ防止効果が一層高くなる。なお、接触角の測定方法は、特開２０１０−１６８７１５号公報段落〔００５７〕に記載の方法にて行う。
【００３０】
吸汗性領域Ｒ１を構成する部材（本実施形態では補助シート１５）は、パルプ等のような親水性の材料から構成することが可能である。例えば紙を用いることができる。あるいは、撥水性材料を親水化処理したものを用いることもできる。後者のものを用いると、吸収した汗を吸汗性領域Ｒ１に保持し過ぎず、蒸気として外部へ放出しやすくなるので好ましい。撥水性材料とは、前述した接触角が９０°超となる材料を意味する。撥水性材料の例としては、不織布等の合成樹脂からなる繊維シートが挙げられる。親水化処理としては公知の方法を使用できる。例えば親水化剤で処理する方法、プラズマ処理する方法等が挙げられる。簡便性の観点からは、親水化剤で処理する方法が好適である。親水化剤としては、界面活性剤、並びにセラミド及びセラミド類似物質などが挙げられる。
【００３１】
撥水性材料の親水化処理に用いられる界面活性剤としては、カチオン界面活性剤及び両性界面活性剤が好ましい。これらの界面活性剤は少量でも有効な親水性を付与することが可能であるとともに、抗菌性や消臭性を付与することができ、肌荒れの抑制、長時間着用時の臭い発生の抑制が可能となるからである。カチオン界面活性剤としては、下記式（１）で示される４級アンモニウム塩が好ましい。両性界面活性剤としては、下記式（２）及び（３）で表されるものが好ましい。
【００３２】
【化１】
0005940839.tif 000002
【００３３】
セラミドとしては、天然及び合成のセラミド物質を使用することができる。セラミド類似物質としては、式（４）に示すような化合物を好適に使用することができる。
【００３４】
【化２】
0005940839.tif 000003
〔式中、Ｒ6は水酸基及び／又はアルコキシ基が置換していてもよい炭素数１〜１２の直鎖又は分岐鎖の炭化水素基を示し、Ｒ7は炭素数１〜５の直鎖又は分岐鎖の二価の炭化水素基を示し、Ｒ8は炭素数１〜２２の直鎖又は分岐鎖の二価の炭化水素基を示す。〕
【００３５】
上述したおむつ１において、表面シート２、裏面シート３、吸収体４、及び側方カフス８形成用シート等としては、使い捨ておむつ等の吸収性物品に従来用いられている各種のもの等を特に制限なく用いることができる。例えば、表面シート２としては、単層又は多層構造の不織布や、開孔フィルム等を用いることができる。裏面シート３としては、樹脂フィルムや樹脂フィルムと不織布の積層体等を用いることができる。吸収体４としては、パルプ繊維等の繊維の集合体（不織布であっても良い）からなる吸収性コア又はこれに吸水性ポリマーの粒子を保持させてなる吸収性コアを、ティッシュペーパ等からなるコアラップシートで被覆したものを用いることができる。
【００３６】
また、外層シート１２及び内層シート１４としても、使い捨ておむつ等の吸収性物品に従来用いられている各種のシート材を特に制限なく用いることができるが、汗の蒸散を円滑に行う観点から通気性の材料、例えば不織布を用いることが好ましい。外層シート１２及び内層シート１４は、撥水性でもよく、あるいは親水性でもよいが、少なくとも一方は撥水性であることが液の滲み出しの防止の観点から好ましい。不織布としては、エアスルー不織布、スパンボンド不織布、スパンレース不織布、メルトブローン不織布、ヒートロール不織布等の各種の不織布を単層で用いるか、又はこれらが２層以上に積層された積層不織布として用いることが好ましい。また、外層シート１２及び内層シート１４として、不織布と透湿性フィルムフィルムとを一体化したシート等を用いることもできる。
【００３７】
弾性部材５１，６１，７１，８１，９１の形成素材としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形又は多角形状等の糸状（糸ゴム等）、若しくは帯状（平ゴム等）のもの、又はマルチフィラメントタイプの糸状のもの等を好ましく用いることができる。弾性部材５１，６１，７１，８１，９１の太さは、４７０〜１６７０ｄｔｅｘ、特に６２０〜９４０ｄｔｅｘとすることが好ましい。特に、上腹部領域の弾性部材７１に関しては、装着感とずれ落ち抑制の両立の観点から太さ６２０〜１６７０ｄｔｅｘとし、下腹部領域の弾性部材９１としては、装着感とずれ落ち抑制の両立に加え、すっきりした外観を与える観点から太さ４７０〜６８０ｄｔｅｘのものを使用することが好ましい。ウエスト弾性部材５１の配置間隔は、１〜１５ｍｍ、特に２〜１０ｍｍとすることが好ましい。上腹部弾性部材７１の配置間隔は、２〜４０ｍｍ、特に３〜３０ｍｍとすることが好ましい。下腹部弾性部材９１の配置間隔（非接合領域Ｎの縦方向Ｙの長さ）は５〜２５ｍｍ、特に８〜１５ｍｍとすることが好ましい。
【００３８】
次に、本発明の第２ないし第４実施形態について、図６ないし図８を参照しながら説明する。これらの実施形態については、第１実施形態と異なる点について説明し、特に説明しない点については第１実施形態に関して詳述した説明が適宜適用される。また図６ないし図８において、図１ないし図５と同じ部材には同じ符号を付してある。なお、図６ないし図８においては、おむつ１の腹側部Ａの構造が示されており、背側部Ｂの構造は示されていないが、背側部Ｂの構造は腹側部Ａと同様になっている。あるいはこれに代えて、第１実施形態における背側部Ｂの構造を採用してもよい。
【００３９】
図６に示す第２実施形態においては、上腹部領域Ａ２に上腹部弾性部材が配置されていない。更に、内層シート１４の縦方向Ｙの端部１４ｗは吸汗性領域Ｒ１にまで延在しておらず、吸収性本体１０の縦方向Ｙの端部１０ｗの位置近傍で終端している。弾性部材を配置しない代わりに、本実施形形態では補助シート１５が伸縮性を有している。また、補助シート１５は第１実施形態と同様に親水性も有している。補助シート１５の伸縮性はおむつ１の少なくとも横方向Ｘに発現することが好ましい。更に好ましくは横方向Ｘ及び縦方向Ｙの二方向に発現し、一層好ましくは、横方向Ｘ及び縦方向Ｙを含むＸＹ平面内のあらゆる方向に発現する。伸縮性を有する補助シート１５はその自然状態（弛緩状態）でおむつ１に組み込まれてもよく、あるいは伸長状態でおむつ１に組み込まれてもよい。補助シート１５を伸長状態でおむつ１に組み込むと、該補助シート１５の収縮によっておむつ１の肌当接面にギャザーが形成される。
【００４０】
伸縮性を有する補助シート１５は、例えば(i)一枚のシート材料から構成されているか、(ii)複数枚のシート材料の積層体から構成されているか、又は(iii)一枚若しくは複数枚のシートと、一本若しくは複数本の糸状若しくは帯状の弾性部材との複合体から構成されている。
【００４１】
補助シート１５が(i)の場合には、一枚のシート材料が弾性樹脂等の弾性材料を含み伸縮性を有している。そのような補助シート１５としては、例えば弾性繊維を含む不織布若しくは織布、又は弾性樹脂を含むフィルム等が挙げられる。
【００４２】
(ii)の場合には、複数枚のシート材料のうちの少なくとも一枚が弾性樹脂等の弾性材料を含んで伸縮性を有し、他のシート材料が少なくとも伸長性を有している。そのような補助シート１５としては、例えば、弾性繊維層の少なくとも一面に実質的に非弾性の非弾性繊維層が配され、両繊維層は弾性繊維層の構成繊維が繊維形態を保った状態で、繊維交点の熱融着によって全面接合されており、非弾性繊維層の構成繊維の一部が弾性繊維層に入り込んだ状態、及び／又は、弾性繊維層の構成繊維の一部が非弾性繊維層に入り込んだ状態になっている伸縮性不織布が挙げられる。そのような伸縮性不織布としては、例えば本出願人の先の出願に係る特開２００７−１３８３７４号公報に記載のもの等が挙げられる。
【００４３】
(iii)の場合には、一枚のシート材料の一方の面に、又は二枚のシート材料の間に一本若しくは複数の弾性部材が接合されて補助シート１５が構成されている。(iii)の場合、伸縮性及び伸長性を有さないシート材料に前記弾性部材が伸長状態で接合されている形態と、少なくとも伸長性を有するシート材料に前記弾性部材が自然状態（弛緩状態）で接合されている形態とがあり、本発明ではいずれの形態も用いることができる。後者の形態を有する補助シート１５としては、互いに交差せずに一方向に延びるように配列した多数の弾性フィラメントが、実質的に非伸長状態で、それらの全長にわたり伸長可能な不織布に接合されてなる伸縮シートが挙げられる。そのような伸縮シートとしては、例えば本出願人の先の出願に係る特開２００８−１７９１２８号公報に記載のもの等が挙げられる。
【００４４】
本実施形態のおむつによれば、第１実施形態のおむつによって奏される効果に加えて、汗の蒸散が一層円滑に行われるという効果が奏される。おむつ１の厚み方向Ｚにおいて、吸汗性領域Ｒ１に対応する領域を構成するシート材料の枚数が第１実施形態よりも少ないからである。
【００４５】
図７に示す第３実施形態はウエスト部Ａ１の構造が第１実施形態と相違している。第１実施形態では図３に示す通り、補助シート１５は、外層シート１２の折り返し部分１２ａ，１２ｂの内面側（弾性部材５１と当接する面側）を被覆しているのに対して、本実施形態では補助シート１５が、外層シート１２の折り返し部分１２ａ，１２ｂの外面側（肌当接面側）を被覆している。したがって本実施形態では、補助シート１５の全域がおむつ１の肌当接面となっている。補助シート１５の全域は親水性を有している。本実施形態によれば、親水性を有する補助シート１５が、肌当接面となる面積が第１実施形態によりも広くなるので、着用者の体から生じた汗を一層吸収することができる。ただし、補助シート１５に吸収された汗が主として外部に蒸散される領域は、第１実施形態と同様に、外層シート１２のうち吸汗性領域Ｒ１に対応する領域である。
【００４６】
図８に示す第４実施形態もウエスト部Ａ１の構造が第１実施形態と相違している。第１実施形態では図３に示す通り、弾性部材５１を挟んで外層シート１２と補助シート１５とが対向しており、両シート１２，１５は弾性部材５１を介して間接的に接合されているのに対して、本実施形態では外層シート１２と補助シート１５との間に弾性部材は配置されておらず、かつ両シート１２，１５間は非接合状態になっている。更に本実施形態では、補助シート１５と外層シート１２の折り返し部１２ａとの間に弾性部材５１が配置されている。弾性部材５１は接着剤（図示せず）によって補助シート１５と折り返し部１２ａに接合されている。
【００４７】
おむつ１の着用状態においては、弾性部材５１の収縮によって、補助シート１５及び外層シート１２の折り返し部１２ａに多数の襞ないし凹凸が生じて、ギャザー（図示せず）が形成される。該ギャザーは補助シート１５と非接合状態になっている外層シート１２よりも内側に位置するので、該ギャザーはおむつ１の外表面から視認し難くなっている。更に本実施形態のおむつ１においては、第１実施形態と同様に、上腹部弾性領域Ａ２において形成されるギャザーもおむつ１の外表面から視認し難くなっている。その結果、おむつ１においては縦方向Ｙに関し、ウエスト部Ａ１から上腹部領域Ａ２にわたりギャザーがおむつ１の外表面から視認し難くなっている。したがって本実施形態のおむつ１によれば、第１実施形態のおむつによって奏される効果に加えて、外観が一層下着様になるという効果が奏される。また、ウエスト領域Ａ１で折り返し部１２ａを親水性とすると、当該領域での外層シート１２と補助シート１５の非接合状態と相俟って、おむつ１内の湿気放出がより高まる。このとき、ウエスト領域Ａ１での非接合状態は、前述した上腹部Ａ２における非接合状態での説明が適用される。
【００４８】
以上、本発明をその好ましい実施形態に基づき説明したが、本発明は前記実施形態に制限されない。例えば、上述した各実施形態においては、腹側部Ａ及び背側部Ｂの双方に吸汗性領域Ｒ１が形成されており、該吸汗性領域Ｒ１に対応する位置にある外層シート１２が、そのすぐ内側に位置する部材と非接合状態になっていたが、この構成は少なくとも腹側部Ａにおいて満足していればよく、背側部Ｂに関しては腹側部Ａと異なる構成を採用してもよい。また、背側部Ｂの外層シート１２表面には、使用後おむつを所定廃棄形状に維持するための廃棄用テープが配されていても良い。
【００４９】
また前記実施形態は、本発明をパンツ型使い捨ておむつに適用した例であるが、本発明はこれ以外の着用物品、例えばショーツ型生理用ナプキン等にも同様に適用できる。
【実施例】
【００５０】
（実施例１）
図１〜図３に示された構成のパンツおむつを作製した。上腹部領域Ａ２を構成する外層シート１２、内層シート１４、補助シート１５には、撥水性のスパンボンド不織布（ポリプロピレン製、坪量１８ｇ／ｍ2、接触角９０°超）を用い、補助シート１５のみ界面活性剤による親水化処理を施して接触角８２°となるようにした。上腹部弾性部材７１には太さ１２４０ｄｔｅｘの糸ゴムを用い、伸長率２７０％で補助シートと内層シートの間に、当該弾性部材にのみ接着剤を塗布する方法にて接着固定した。ウエスト領域Ａ１，上腹部領域Ａ２及び下腹部領域Ａ３を含むように切り出したサンプルを用い、以下の蒸気放出性の評価を行った。結果を表１に示す。
【００５１】
（蒸気放出性の評価方法）
測定には、カトーテック（株）の精密迅速熱物性測定装置  サーモラボIIＢ（型番：ＫＥＳ−Ｆ７）を用いた。２３℃、５５％ＲＨの条件にて２４時間順化したサンプルを３３℃に加温したサンプル台の上に載せる。サンプル台とサンプルの間に挿入したチューブを用いて０．９質量％の生理食塩水０．１ｍＬをサンプルに供給する。サンプルの上面に風洞を配置して０．３ｍ／秒の風速にて空気流をサンプルに与える。サンプル上面において、生理食塩水注入前からの熱流量の変化を連続して測定する。図９に示すように、熱量が大きく上昇した点は生理食塩水の注入によるものであり、その後サンプル上面側へ蒸気が放出されることにより、熱流量は減少していく。熱放出量が生理食塩水の注入直前の値になった時点を完全放出状態とし、生理食塩水注入による熱流量上昇時の時点から完全放出状態までの時間を完全放出時間として評価する。そして、完全放出時間が短いほど、蒸気放出性が良好であると評価する。
【００５２】
（比較例１及び２）
実施例１において、上腹部領域Ａ２における外層シート１２と内層シート１４を略全面接着固定し、補助シート１５に親水化処理を施さなかったものを比較例１、比較例１のおむつに対し内層シート１４のみに親水化処理を施したものを比較例２としたサンプルを作製し、実施例１と同様にして蒸気放出性の評価を行った。結果を表１に示す。
【００５３】
【表１】
0005940839.tif 000004
【００５４】
表１の結果に示されるように、実施例１のおむつ（本発明品）によればおむつ内部の蒸気を素早く外部へ放出することが可能となる。
【符号の説明】
【００５５】
１  パンツ型の使い捨ておむつ（着用物品）
２  表面シート
３  裏面シート
４  吸収体
５  ウエスト開口部
６  レッグ開口部
１０  吸収性本体
１１  外装体
１２  外層シート
１３  内側シート
１４  内層シート
１５  補助シート
７１  上腹部弾性部材
Ａ  腹側部
Ｂ  背側部
Ｃ  股部
Ａ１，Ｂ１  ウエスト領域
Ａ２，Ｂ２  上腹部領域
Ａ３，Ｂ３  下腹部領域
【図１】
0005940839.tif 000005
【図２】
0005940839.tif 000006
【図３】
0005940839.tif 000007
【図４】
0005940839.tif 000008
【図５】
0005940839.tif 000009
【図６】
0005940839.tif 000010
【図７】
0005940839.tif 000011
【図８】
0005940839.tif 000012
【図９】
0005940839.tif 000013